【手続補正書】
【提出日】平成17年1月24日(2005.1.24)
【手続補正１】
【補正対象書類名】明細書
【補正対象項目名】特許請求の範囲
【補正方法】変更
【補正の内容】
【特許請求の範囲】
【請求項１】  以下の工程を含む加圧多成分液体の製造方法：
（ａ）Ｃ5+成分及びＣ1、Ｃ2、Ｃ3、又はＣ4の少なくとも１つの成分を含む加圧多成分ストリームを用意する工程、
（ｂ）多成分ストリームからＣ5+成分の１つ以上を除去し、多成分ストリーム中に少なくとも１つのＣ5+成分を残す工程、及び
（ｃ）多成分ストリームを液化して結晶化Ｃ5+成分を実質的に含まない加圧液体を生成する工程。
【請求項２】  多成分ストリームから１つ以上のＣ5+成分を除去する工程が多成分ストリームを分留して結晶性Ｃ5+成分をほとんど含まない第１ストリーム及び結晶性Ｃ5+成分を多く含む第２ストリームを生成する工程を含み、ここで前記第１ストリームは結晶化Ｃ5+を実質的に含まない加圧液体を生成するために液化される、請求項１に記載の方法。
【請求項３】  多成分ガスストリームから１つ以上のＣ5+成分を除去する工程が１つ以上のＣ5+成分を結晶化し、少なくとも１つの結晶化していないＣ5+成分を残し、多成分ストリームから結晶化成分を分離する工程を含む、請求項１に記載の方法。
【請求項４】  結晶化成分がＣ8+の炭化水素を含む請求項３に記載の方法。
【請求項５】  少なくとも１つの結晶化していないＣ5+成分がｎＣ6、ｉＣ6、ｎＣ7、又はｉＣ7の少なくとも１つを含む請求項３に記載の方法。
【請求項６】  前記方法がさらに加圧多成分ストリームから水又は炭化水素凝縮物の少なくとも１つを除去する工程を含む請求項３に記載の方法。
【請求項７】  多成分ストリームが地層から生成される天然ガスを含む請求項１に記載の方法。
【請求項８】  さらに、多成分ストリームの液化前に、多成分ストリームにＣ2+炭化水素を含む炭化水素組成物を加える工程を含む請求項７に記載の方法。
【請求項９】  多成分ストリームがさらに二酸化炭素を含み、前記方法がさらに多成分ストリームの液化前に二酸化炭素の少なくとも一部を除去する工程を含む請求項４に記載の方法。
【請求項１０】
液化多成分ストリームが−１１２℃よりも高い温度及び該ストリームがその沸点以下であるのに十分な圧力を有する請求項１に記載の方法。
【請求項１１】  加圧多成分ストリームが１，４００ｋＰａを超える請求項１０に記載の方法。
【請求項１２】  加圧多成分ストリームが２，８００ｋＰａを超える請求項１０に記載の方法。
【請求項１３】  さらに以下の工程を含む請求項１に記載の方法：
（ｄ）加圧多成分ストリームから水又は炭化水素凝縮物の少なくとも１つを除去する工程、
（ｅ）第１選択的抽出システムで少なくとも部分的に行われる１つ以上のＣ5+成分を含む多成分ストリームを除去する工程、ここで該選択的抽出システムは結晶化Ｃ5+成分をほとんど含まない第１ストリーム及びＣ5+成分を多く含む第２ストリームを生成し、
（ｆ）第２ストリームの少なくとも一部を第２選択的抽出システムに送る工程、
（ｇ）液化システムで第１ストリームの少なくとも一部を液化する工程、
（ｈ）工程（ｇ）の液化ストリームの少なくとも一部を第２選択的抽出システムに送る工程、ここで該第２選択的抽出システムは結晶化Ｃ5+成分をほとんど含まない第３ストリーム及び結晶化Ｃ5+成分を多く含む第４ストリームを生成し、及び
（ｉ）第３ストリームを液化システムに送る工程、ここで該液化システムは−１１２℃を超える温度及びその温度が沸点以下である圧力を有する加圧液体ストリームを生成する。
【請求項１４】  以下の工程を含むＣ1又はＣ2の少なくとも１つを多く含む炭化水素組成物を輸送する方法：
（ａ）Ｃ2+炭化水素を炭化水素組成物と混合する工程、ここで該混合物はＣ5+成分を含み、
（ｂ）混合物から１つ以上のＣ5+成分を除去し、混合物中に少なくとも１つのＣ5+成分を残す工程、
（ｃ）混合物を液化して−１１２℃（−１７０°Ｆ）を超える温度で加圧液体を生成する工程、ここで該液体は結晶化Ｃ5+成分を実質的に含まず、
（ｄ）−１１２℃（−１７０°Ｆ）を超える温度及び液体がその沸点温度以下であるのに十分な圧力で液体を輸送する工程。
【請求項１５】  以下の工程を含む輸送用加圧メタンリッチ供給原料を処理する方法：
（ａ）メタンリッチ供給原料にＣ5よりも大きい分子量を有する少なくとも１つの炭化水素を加える工程、
（ｂ）供給原料からＣ5よりも大きい分子量を有する１つ以上の炭化水素成分を除去し、供給原料中にＣ5よりも大きい分子量を有する少なくとも１つの成分を残す工程、及び
（ｃ）供給原料を液化する工程、ここで該液化供給原料は−１１２℃を超える温度及び液体がその沸点温度以下であるのに十分な圧力を有し、液体供給原料は結晶性炭化水素を実質的に含まない。
【請求項１６】  以下の工程を含む加圧多成分液体の製造方法：
（ａ）１つ以上のＣ5+成分及びＣ1、Ｃ2、Ｃ3又はＣ4の少なくとも１つを含む少なくとも１つの成分を含む多成分液体ストリームを用意する工程、
（ｂ）Ｃ5+成分の少なくとも１つを結晶化し、１つ以上の実質的に非結晶化Ｃ5+成分を残す工程、
（ｃ）多成分ストリームを結晶化Ｃ5+成分をほとんど含まない第１ストリームと結晶化Ｃ5+成分を多く含む第２ストリームとに分離する工程、及び
（ｄ）第１ストリームを選択した温度及び圧力で液化する工程。
【請求項１７】  以下の工程を含む液化天然ガスストリームの製造方法：
（ａ）天然ガスストリームを少なくとも１，４００ｋＰａを超える圧力で用意する工程、
（ｂ）天然ガスストリームから水又は炭化水素凝縮物の少なくとも１つを除去する工程、
（ｃ）ガスストリームから予め選択された温度及び圧力で結晶化する少なくとも１つのＣ5+成分を選択的に除去する工程、ここで該予め選択された温度は−１１２℃を超え、圧力は前もって処理された加圧液体生成物の圧力とほぼ同じであり、及び
（ｄ）ガスストリームを液化して、−１１２℃を超える温度及び沸点温度以下である圧力を有する加圧液体生成物を生成する工程。
【請求項１８】  以下の工程を含む液化天然ガスストリームの製造方法：
（ａ）天然ガスストリームを少なくとも１，４００ｋＰａを超える圧力で用意する工程、
（ｂ）天然ガスストリームから水、油、又は炭化水素凝縮物の少なくとも１つを除去する工程、
（ｃ）ガスストリームから予め選択された温度及び圧力で凝固するＣ5+成分を選択的に除去する工程、
（ｄ）ガスストリームの少なくとも一部を液化する工程、
（ｅ）液化ストリームの少なくとも一部を選択的抽出システムに送る工程、ここで該抽出システムは結晶化Ｃ5+成分をほとんど含まない第１ストリームとＣ5+成分を多く含む第２ストリームとを生成し、及び
（ｆ）結晶化Ｃ5+成分をほとんど含まない第１ストリームを液化のための液化システムに送って、−１１２℃を超える温度及び沸点温度以下である圧力を有する加圧液体ストリームを生成する工程。
【請求項１９】  以下の工程を含む液化天然ガスストリームの製造方法：
（ａ）天然ガスストリームを少なくとも１，４００ｋＰａを超える圧力で用意する工程、
（ｂ）天然ガスストリームから水、油、又は炭化水素凝縮物の少なくとも１つを除去する工程、
（ｃ）天然ガスストリームを第１選択的抽出システムに送る工程、ここで該選択的抽出システムは結晶化Ｃ5+成分をほとんど含まない第１ストリームとＣ5+成分を多く含む第２ストリームとを生成し、
（ｄ）第２ストリームの少なくとも一部を第２選択的抽出システムに送る工程、
（ｅ）第１ストリームの少なくとも一部を液化システムに送る工程、
（ｆ）液化システムから第１液体ストリームを回収し、第１液体ストリームを第２選択的抽出システムに送る工程、ここで第２選択的抽出システムは結晶化Ｃ5+成分をほとんど含まない第３ストリームとＣ5+成分を多く含む第４ストリームとを生成し、及び
（ｇ）第３ストリームを液化システムに送る工程、ここで該液化システムは−１１２℃を超える温度及び沸点温度以下である圧力を有する加圧液体ストリームを生成する。
【請求項２０】  以下の工程を含む天然ガスの輸送方法：
（ａ）１，４００ｋＰａを超える圧力を有する加圧天然ガスを用意する工程、ここで該天然ガスは主成分としてＣ1を含み、さらにＣ5+成分を含む、
（ｂ）天然ガスから１つ以上のＣ5+成分を除去し、天然ガス中に少なくとも１つのＣ5+成分を残す工程、
（ｃ）多成分ストリームを液化して結晶化Ｃ5+成分を実質的に含まない加圧液体を生成する工程、及び
（ｄ）加圧液体を容器に入れ、−１１２℃を超える温度で容器中の液体を輸送する工程。
【請求項２１】  多成分ストリームから１つ以上のＣ5+成分を除去する工程が、多成分ストリームを分留して１つ以上のＣ5+成分をほとんど含まず、少なくとも１つの他のＣ5+成分を多く含む第１ストリームと、１つ以上のＣ5+成分を多く含む第２ストリームを生成する工程を含む請求項２０に記載の方法。
【請求項２２】  多成分ガスストリームから１つ以上のＣ5+成分を除去する工程が、１つ以上のＣ5+成分を結晶化し、少なくとも１つのＣ5+成分を結晶化しないままにし、結晶化成分を多成分ストリームから分離する工程を含む請求項２０に記載の方法。
【請求項２３】  少なくとも１つのＣ5+成分とＣ1又はＣ2の少なくとも１つの成分とを含む多成分炭化水素と、−１１２℃を超える温度及び液体がその沸点以下であるのに十分な圧力を有する液体と、結晶化Ｃ5+成分を実質的に含まない液体とを含む加圧多成分液体。